(57)【要約】      （修正有）【課題】安定的に固定可能で、さらに差し込みや引き抜きの容易なマルチシート固定具及びマルチシート固定方法を提供する。【解決手段】土を盛り上げた盛土部１０１と両側の平地部１０２，１０２により断面略凸字形に形成した畝に、その盛土部１０１及び両側の平地部１０２，１０２にかけてマルチシート２００を被せて、マルチシート２００の上からマルチシート固定具１０を差し込んで固定するマルチシート固定方法であって、矩形平板状の押板部１の片面から直角方向に、先端が尖形に形成された棒状の差込脚部２を、長辺方向に沿って間隔を空けて複数突出させてなるマルチシート固定具１０を、盛土部１０１の平地部１０２からの立ち上がり位置に、マルチシート２００を介して、複数の差込脚部２，２が水平に並ぶようにしながら差し込む。【選択図】図６
2007143514.tif 000002
【特許請求の範囲】
【請求項１】
矩形平板状の押板部の片面から直角方向に、先端が尖形に形成された棒状の差込脚部を、長辺方向に沿って間隔を空けて複数突出させてなることを特徴とするマルチシート固定具。
【請求項２】
前記押板部の長辺側の側面から直角方向に突出する突起部を設けたことを特徴とする請求項１に記載のマルチシート固定具。
【請求項３】
前記差込脚部は、根元から先端まで表面が平滑であることを特徴とする請求項１又は請求項２に記載のマルチシート固定具。
【請求項４】
土を盛り上げた盛土部と両側の平地部により断面略凸字形に形成した畝に、その盛土部及び両側の平地部にかけてマルチシートを被せて、前記マルチシートの上からマルチシート固定具を差し込んで固定するマルチシート固定方法であって、
矩形平板状の押板部の片面から直角方向に、先端が尖形に形成された棒状の差込脚部を、長辺方向に沿って間隔を空けて複数突出させてなるマルチシート固定具を、
前記盛土部の前記平地部からの立ち上がり位置に、前記マルチシートを介して、前記複数の差込脚部が水平に並ぶようにしながら差し込むことを特徴とするマルチシート固定方法。
【請求項５】
土を盛り上げた盛土部と両側の平地部により断面略凸字形に形成した畝に、その盛土部及び両側の平地部にかけてマルチシートを被せて、前記マルチシートの上からマルチシート固定具を差し込んで固定するマルチシート固定方法であって、
矩形平板状の押板部の片面から直角方向に、先端が尖形に形成された棒状の差込脚部を、長辺方向に沿って間隔を空けて複数突出させるとともに、前記押板部の長辺側の側面から直角方向に突出する突起部が設けられてなるマルチシート固定具を、
前記盛土部の前記平地部からの立ち上がり位置に、前記マルチシートを介して、前記複数の差込脚部が水平に並ぶようにしながら、かつ前記突起部を下側に向けた状態で差し込み、
遊動状態にある前記平地部側のマルチシートを、前記差込脚部を突出させた片面から前記突起部を突出させた側面に沿って屈曲させ、前記屈曲させたマルチシートの前記側面との当接部分に前記突起部を挿通させることを特徴とするマルチシート固定方法。
【請求項６】
土を盛り上げた盛土部と両側の平地部により断面略凸字形に形成した畝に、その盛土部及び両側の平地部にかけてマルチシートを被せて、前記マルチシートの上からマルチシート固定具を差し込んで固定するマルチシート固定方法であって、
矩形平板状の押板部の片面から直角方向に、先端が尖形に形成された棒状の差込脚部を、長辺方向に沿って間隔を空けて複数突出させるとともに、前記押板部の長辺側の側面から直角方向に突出する突起部が設けられてなるマルチシート固定具を、
前記盛土部の前記平地部からの立ち上がり位置に、前記マルチシートを介して、前記複数の差込脚部が水平に並ぶようにしながら、かつ前記突起部を上側に向けた状態で差し込み、
遊動状態にある前記平地部側のマルチシートを、前記差込脚部を突出させた片面から前記突起部を突出させた側面まで、前記押板部を囲うように屈曲させ、前記屈曲させたマルチシートの前記側面との当接部分に前記突起部を挿通させることを特徴とするマルチシート固定方法。
【発明の詳細な説明】
【技術分野】
【０００１】
本発明は、農作物を栽培するための畝に被せられたマルチシートを固定するための、マルチシート固定具及びマルチシート固定方法に関する。
【背景技術】
【０００２】
畑で農作物を栽培する場合には、土を盛り上げて畝を形成するとともに、土壌の凍結や霜害の防止、雑草の防除、又は肥料の地中分散防止のために、ビニール製のマルチシートを畝に被せて固定することが行われている。畝に被せたマルチシートを固定するためには、マルチシートの端部を地中に埋める方法もあるが、手作業で行う必要があり手間がかかるため、図１４及び図１５に示すようなマルチシート固定具をマルチシートの上から地中に差し込んで固定する方法がとられている。
【０００３】
図１４及び図１５は、従来用いられているマルチシート固定具５０の正面図及び平面図である。
図１４及び図１５に示すように、マルチシート固定具５０は、矩形平板状の押板部５１と、押板部５１の片面中央から直角方向に突出する差込脚部５２と、差込脚部５２の両側に設けられた複数の抜止部５３から形成されている。
マルチシート固定具５０は、差込脚部５２に抜止部５３を設けることで、地中に差し込んだ差込脚部５２が簡単に抜けることのないように形成されているものである。
同様に差込脚部に抜止部を設けたものとして、特許文献１には、矢羽形の抜止部を有するマルチシート固定具が記載されている。
【特許文献１】特開平１０−７５６６６号公報
【発明の開示】
【発明が解決しようとする課題】
【０００４】
しかしながら、上記従来のマルチシート固定具５０は、差込脚部５２に抜止部５３を設けることで、差込脚部５２に沿った方向の力（図１４のＤ方向）に対しては比較的強いものの、差込脚部５２に対して垂直な力（図１５のＥ方向）に対しては弱いという欠点を有している。
【０００５】
この点について、図１６乃至図１８を参照して説明する。図１６は、畝１００にマルチシート２００を被せ、マルチシート固定具５０により固定した状態を示したものである。図１６中の破線は、マルチシート２００に覆われた畝１００の盛り上がり状態を示すものである。また、図１７は、図１６のＣ−Ｃ断面図である。
畝１００は、土を盛り上げた盛土部１０１と両側の平地部１０２，１０２により断面略凸字形に形成されており、その盛土部１０１及び両側の平地部１０２，１０２にかけて、マルチシート２００が被せられている。そして、マルチシート２００を固定するために、盛土部１０１の側面下部、すなわち盛土部１０１の平地部１０２からの立ち上がり位置に、マルチシート２００の上から、複数のマルチシート固定具５０が差し込まれている。
【０００６】
ここで、畝１００とマルチシート２００の間に、図１６のＷ方向に風が吹き込む場合を考えてみる。そうすると、風の力でマルチシート２００は上方に引っ張られ、その力がマルチシート固定具５０の差込脚部５２の根元部分に伝わり、差込脚部５２の根元部分に対して垂直な力（図１７のＸ方向）が働く。このＸ方向の力に対して、差込脚部５２の抜止部５３は役に立たず、図１８に示すように、マルチシート固定具５０が簡単に引き抜かれてしまう。
【０００７】
また、差込脚部５２の抜止部５３は、差し込み時や引き抜き時にマルチシート２００に引っ掛かってしまうおそれがある。
さらに、抜止部５３を設けたことで、かえって差し込み時に抜止部５３が土を耕すように柔らかくしてしまい、保持力を低下させてしまうおそれもある。
【０００８】
そこで本発明は上記従来の課題を解決するためのものであり、畝に被せたマルチシートを固定する場合に、安定的に固定可能で、さらに差し込みや引き抜きの容易なマルチシート固定具及びマルチシート固定方法を提供するものである。
【課題を解決するための手段】
【０００９】
上記従来の課題を解決するために、請求項１に係る発明のマルチシート固定具は、矩形平板状の押板部（１）の片面から直角方向に、先端が尖形に形成された棒状の差込脚部（２）を、長辺方向に沿って間隔を空けて複数突出させてなることを特徴とする。
【００１０】
また、請求項２に係る発明は、請求項１に記載の発明において、前記押板部（１）の長辺側の側面から直角方向に突出する突起部（５）を設けたことを特徴とする。
【００１１】
また、請求項３に係る発明は、請求項１又は請求項２に記載の発明において、前記差込脚部（２）は、根元から先端まで表面が平滑であることを特徴とする。
【００１２】
また、請求項４に係る発明のマルチシート固定方法は、土を盛り上げた盛土部（１０１）と両側の平地部（１０２，１０２）により断面略凸字形に形成した畝（１００）に、その盛土部（１０１）及び両側の平地部（１０２，１０２）にかけてマルチシート（２００）を被せて、前記マルチシート（２００）の上からマルチシート固定具（１０）を差し込んで固定するマルチシート固定方法であって、矩形平板状の押板部（１）の片面から直角方向に、先端が尖形に形成された棒状の差込脚部（２）を、長辺方向に沿って間隔を空けて複数突出させてなるマルチシート固定具（１０）を、前記盛土部（１０１）の前記平地部（１０２）からの立ち上がり位置に、前記マルチシート（２００）を介して、前記複数の差込脚部（２，２）が水平に並ぶようにしながら差し込むことを特徴とする。
【００１３】
また、請求項５に係る発明のマルチシート固定方法は、土を盛り上げた盛土部（１０１）と両側の平地部（１０２，１０２）により断面略凸字形に形成した畝（１００）に、その盛土部（１０１）及び両側の平地部（１０２，１０２）にかけてマルチシート（２００）を被せて、前記マルチシート（２００）の上からマルチシート固定具（２０）を差し込んで固定するマルチシート固定方法であって、矩形平板状の押板部（１）の片面から直角方向に、先端が尖形に形成された棒状の差込脚部（２）を、長辺方向に沿って間隔を空けて複数突出させるとともに、前記押板部（１）の長辺側の側面から直角方向に突出する突起部（５）が設けられてなるマルチシート固定具（２０）を、前記盛土部（１０１）の前記平地部（１０２）からの立ち上がり位置に、前記マルチシート（２００）を介して、前記複数の差込脚部（２，２）が水平に並ぶようにしながら、かつ前記突起部（５）を下側に向けた状態で差し込み、遊動状態にある前記平地部（１０２）側のマルチシートを、前記差込脚部（２）を突出させた片面から前記突起部（５）を突出させた側面に沿って屈曲させ、前記屈曲させたマルチシートの前記側面との当接部分に前記突起部（５）を挿通させることを特徴とする。
【００１４】
また、請求項６に係る発明のマルチシート固定方法は、土を盛り上げた盛土部（１０１）と両側の平地部（１０２，１０２）により断面略凸字形に形成した畝（１００）に、その盛土部（１０１）及び両側の平地部（１０２，１０２）にかけてマルチシート（２００）を被せて、前記マルチシート（２００）の上からマルチシート固定具（２０）を差し込んで固定するマルチシート固定方法であって、矩形平板状の押板部（１）の片面から直角方向に、先端が尖形に形成された棒状の差込脚部（２）を、長辺方向に沿って間隔を空けて複数突出させるとともに、前記押板部（１）の長辺側の側面から直角方向に突出する突起部（５）が設けられてなるマルチシート固定具（２０）を、前記盛土部（１０１）の前記平地部（１０２）からの立ち上がり位置に、前記マルチシート（２００）を介して、前記複数の差込脚部（２，２）が水平に並ぶようにしながら、かつ前記突起部（５）を上側に向けた状態で差し込み、遊動状態にある前記平地部（１０２）側のマルチシートを、前記差込脚部（２）を突出させた片面から前記突起部（５）を突出させた側面まで、前記押板部（１）を囲うように屈曲させ、前記屈曲させたマルチシートの前記側面との当接部分に前記突起部（５）を挿通させることを特徴とする。
【００１５】
なお、括弧内の記号は、発明を実施するための最良の形態および図面に記載された対応要素または対応事項を示す。
【発明の効果】
【００１６】
請求項１に記載の発明によれば、マルチシート固定具の矩形平板状の押板部から、棒状の差込脚部を間隔を空けて複数突出させているので、畝に被せたマルチシートに、複数の差込脚部が水平に並ぶようにしながら差し込むことで、マルチシートを安定的に固定することができる。
【００１７】
また、請求項２に記載の発明によれば、請求項１に記載の発明の作用効果に加えて、マルチシート固定具の押板部の側面から突起部を突出させているので、マルチシート固定具を差し込んだ後で、遊動状態にあるマルチシートに突起部を挿通させて、マルチシートをさらに安定的に固定することができる。
【００１８】
また、請求項３に記載の発明によれば、請求項１又は請求項２に記載の発明の作用効果に加えて、差込脚部の根元から先端まで表面が平滑であるので、マルチシートへの差し込みや引き抜きを容易に行うことができる。
【００１９】
また、請求項４に記載の発明によれば、矩形状の押板部から棒状の差込脚部を間隔を空けて複数突出させたマルチシート固定具を、畝を形成する盛土部の平地部からの立ち上がり位置に、マルチシートを介して、複数の差込脚部が水平に並ぶようにしながら差し込むので、マルチシートからの上方への引っ張り力に対して抵抗力を大きくすることができ、マルチシートを安定的に固定することができる。
【００２０】
また、請求項５に記載の発明によれば、矩形状の押板部から棒状の差込脚部を間隔を空けて複数突出させるとともに、側面から突起部を突出させたマルチシート固定具を、畝を形成する盛土部の平地部からの立ち上がり位置に、マルチシートを介して、複数の差込脚部が水平に並ぶようにしながら、かつ突起部を下側に向けた状態で差し込んだ後で、遊動状態にあるマルチシートに突起部を挿通させるので、マルチシートからの上方への引っ張り力に対して、複数の差込脚部で抵抗力を大きくするとともに、突起部に力を加えてマルチシート固定具を地中により深く差し込ませるとともに、差込脚部の先端側を上方に持ち上げることができ、マルチシートを極めて安定的に固定することができる。
【００２１】
また、請求項６に記載の発明によれば、矩形状の押板部から棒状の差込脚部を間隔を空けて複数突出させるとともに、側面から突起部を突出させたマルチシート固定具を、畝を形成する盛土部の平地部からの立ち上がり位置に、マルチシートを介して、複数の差込脚部が水平に並ぶようにしながら、かつ突起部を上側に向けた状態で差し込んだ後で、遊動状態にあるマルチシートに突起部を挿通させるので、マルチシートからの上方への引っ張り力に対して、複数の差込脚部で抵抗力を大きくするとともに、突起部に力を加えてマルチシート固定具を地中により深く差し込ませるとともに、差込脚部の先端側を上方に持ち上げることができ、マルチシートを極めて安定的に固定することができる。
【発明を実施するための最良の形態】
【００２２】
次に、図１乃至図７を参照して、本発明の実施形態１に係るマルチシート固定具１０について説明する。
最初に、実施形態１に係るマルチシート固定具１０の構成について、図１乃至図５を参照して説明する。
【００２３】
図１の正面図に示すように、マルチシート固定具１０は、押板部１と、押板部１から突出する２本の差込脚部２，２から構成されている。
押板部１は、左右方向に横長で、かつ幅広な面を上下に持つ矩形平板状に形成されている。差込脚部２は、棒状であり先端が尖形に形成されている。
また、差込脚部２は、根元から先端まで表面が平滑となるように形成されており、図１４に示す従来例にあるような抜止部は形成されていない。
この２本の差込脚部２，２は、互いに平行であり、押板部１の片面から直角方向に突出している。すなわち、図１において、押板部１の下面から２本の差込脚部２，２が下方向に突出している。
【００２４】
さらに、図２の平面図に示すように、２本の差込脚部２、２は、押板部１の長辺方向に沿って間隔を空けて設けられている。２本の差込脚部２，２の間隔は特に限定されないが、例えば、差込脚部２の長さ（押板部１からの突出長）よりも狭くなるように形成することが好ましい。
図３は、図１のＡ−Ａ断面図であり、差込脚部２の断面が四角形状である様子を示している。なお、差込脚部２の断面形状は、これに限らず、図４に示すような断面Ｈ字形の差込脚部３や、図５に示すような断面十字形の差込脚部４などの、他の断面形状としてもよい。
【００２５】
次に、図６及び図７を参照して、マルチシート固定具１０を用いたマルチシート固定方法について説明する。
図６は、マルチシート固定具１０の使用状態を示す断面図であり、図７は、図６のＢ−Ｂ断面図である。なお、本実施形態において、畝にマルチシートを被せ固定した状態は、従来例と同様に図１６に示す斜視図のとおりである。
【００２６】
図１６に示すように、畝１００は、土を盛り上げて盛土部１０１とし、盛土部１０１と両側の平地部１０２，１０２とにより、断面略凸字形に形成されている。そして、盛土部１０１及び両側の平地部１０２，１０２にかけて、マルチシート２００が被せられている。
マルチシート２００の上からは、複数のマルチシート固定具１０が差し込まれて、マルチシート２００を畝１００に固定している。
【００２７】
マルチシート固定具１０は、図６に示すように、畝１００の盛土部１０１の側面下部、すなわち盛土部１０１の平地部１０２からの立ち上がり位置に、マルチシート２００を介して差し込まれている。図６に示す盛土部１０１においては、その立ち上がり位置がほぼ垂直な面となっているため、マルチシート固定具１０は、平地部１０２とほぼ平行に、水平方向に差し込まれている。
なお、盛土部１０１の形状によっては、立ち上がり部が垂直面ではなく、斜面状に形成される場合があり、その場合は、マルチシート固定具１０は、立ち上がり部の斜面に対して直角に（斜め下方向に）差し込まれる。
さらに、図７に示すように、マルチシート固定具１０は、２本の差込脚部２，２が水平に並ぶようにしながら差し込まれている。従って、マルチシート固定具１０の差し込み時には、押板部１を、その長辺が地面と水平になるように保持して差し込むことになる。
【００２８】
上記のようにマルチシート固定具１０により固定されたマルチシート２００に対して、畝１００とマルチシート２００の間に、図１６のＷ方向に風が吹き込む場合を考えてみる。
そうすると、風の力でマルチシート２００は上方に引っ張られ、その力がマルチシート固定具１０の差込脚部２の根元部分に伝わり、差込脚部２の根元部分に対して垂直な力（図６のＸ方向）が働く。
これに対して本実施形態のマルチシート固定具１０は、差込脚部２を水平に並べて２本配置することで抵抗力を増加させるものであるが、単純に２本配置するのではなく、適当な間隔を空けて配置することで、以下のとおり優れた効果を発揮する。すなわち、図７に示すように、２本の差込脚部２，２の間には、領域Ｔで示す土が存在するが、マルチシート２００からの上方への引っ張り力で、２本の差込脚部２，２が垂直方向（図６のＸ方向）に引っ張られるときには、この領域Ｔで示す土の部分も抵抗として働くのである。
このことは、先端が櫛のように分割された刃をもつ鍬を用いて畑を耕す場合に、刃の部分だけでなく、刃と刃の間の土も一緒に持ち上げることができるのと同じ理屈である。
従って、２本の差込脚部２，２の間隔は、差込脚部２，２の間の領域Ｔ部分の土が抵抗として働くように、適当な間隔を設定するとよい。例えば、差込脚部２の長さ（押板部１からの突出長）よりも狭くなるように形成するとよい。
【００２９】
実施形態１に係るマルチシート固定具１０によれば、矩形状の押板部１から棒状の差込脚部２を間隔を空けて２本突出させたマルチシート固定具１０を、畝１００を形成する盛土部１０１の平地部１０２からの立ち上がり位置に、マルチシート２００を介して、２本の差込脚部２，２が水平に並ぶようにしながら差し込むので、マルチシート２００からの上方への引っ張り力に対して抵抗力を大きくすることができ、マルチシート２００を安定的に固定することができる。
【００３０】
また、差込脚部２の根元から先端まで表面が平滑であるので、マルチシート２００に引っ掛かることがなく、マルチシート２００への差し込みや引き抜きを容易に行うことができる。
【００３１】
次に、図８乃至図１１を参照して、本発明の実施形態２に係るマルチシート固定具２０について説明する。
最初に、実施形態２に係るマルチシート固定具２０の構成について、図８及び図９を参照して説明する。
【００３２】
実施形態２に係るマルチシート固定具２０は、実施形態１に係るマルチシート固定具１０とほぼ同様の構成であるが、突起部５を設けた点が異なる。
図８及び図９に示すように、マルチシート固定具２０の押板部１の長辺側の側面からは、直角方向に突起部５が突出している。突起部５の突出方向は、差込脚部２の突出方向に対しても直角である。
突起部５の形状は円柱状であり、押板部１の長辺側の一方の側面に３箇所設けられている。なお、突起部５の形状は、これに限られず、先端を尖形としたものや断面が四角形のものなどを設けるようにしてもよい。また、突起部５の数も３箇所に限られない。
【００３３】
次に、図１０を参照して、マルチシート固定具２０を用いたマルチシート固定方法について説明する。
図１０は、マルチシート固定具２０の使用状態を示す断面図である。
畝１００にマルチシート２００を被せて、マルチシート２００の上からマルチシート固定具２０を差し込むまでは、実施形態１と同様である。ただし、実施形態２においては、マルチシート固定具２０を差し込む際に、突起部５を下側に向けた状態で差し込む点に特徴がある。
そして、マルチシート固定具２０を差し込んだ後に、遊動状態にある平地部１０２側のマルチシート（マルチシート２００の側端部であって、マルチシート固定具２０の差し込み後も盛土部１０１に固定されていない部分）を屈曲させる。このときのマルチシート２００の屈曲方向は、押板部１に沿ったものであり、具体的には、押板部１の差込脚部２を突出させた片面（図１０における押板部１の右側の面）から、突起部５を突出させた側面（図１０における押板部１の下側の面）に沿って屈曲させる。
最後に、屈曲させたマルチシート２００の、突起部５を突出させた側面との当接部分に突起部５を挿通させて完了する。
【００３４】
上記のようにマルチシート固定具２０により固定されたマルチシート２００に対して、畝１００とマルチシート２００の間に、図１６のＷ方向に風が吹き込む場合を考えてみる。
そうすると、風の力でマルチシート２００は上方に引っ張られ、その力がマルチシート固定具２０の差込脚部２の根元部分に伝わり、差込脚部２の根元部分に対して垂直な力（図１０のＸ方向）が働く。
これに対して本実施形態のマルチシート固定具２０は、実施形態１に係るマルチシート固定具１０と同様に、差込脚部２を水平に並べて２本配置することで抵抗力を増加させることができる。
【００３５】
さらに、本実施形態では、マルチシート２００が上方に引っ張られると、その力がマルチシート固定具２０の突起部５に伝わり、突起部５を図１０のＹ方向に回転させようとする力が働く。
そうすると、マルチシート固定具２０に対して、畝１００の盛土部１０１に向けてより深く差し込ませるとともに、差込脚部２の先端側を上方に持ち上げるように力を加えることができる。従って、マルチシート２００からの力に対して、さらに抵抗力を増加させることができるのである。
【００３６】
実施形態２に係るマルチシート固定具２０によれば、矩形状の押板部１から棒状の差込脚部２を間隔を空けて２本突出させるとともに、側面から突起部５を突出させたマルチシート固定具２０を、畝１００を形成する盛土部１０１の平地部１０２からの立ち上がり位置に、マルチシート２００を介して、２本の差込脚部２，２が水平に並ぶようにしながら、かつ突起部５を下側に向けた状態で差し込んだ後で、遊動状態にあるマルチシート２００に突起部５を挿通させるので、マルチシート２００からの上方への引っ張り力に対して、２本の差込脚部２，２で抵抗力を大きくするとともに、突起部５に力を加えてマルチシート固定具２０を地中により深く差し込ませるとともに、差込脚部２の先端側を上方に持ち上げることができ、マルチシート２００を安定的に固定することができる。
【００３７】
なお、実施形態２に係るマルチシート固定具２０は、図１１に示すように、突起部５を上側に向けた状態で差し込むことも可能である。
この場合、マルチシート固定具２０を差し込んだ後に、遊動状態にある平地部１０２側のマルチシート（マルチシート２００の側端部であって、マルチシート固定具２０の差し込み後も盛土部１０１に固定されていない部分）を次のように屈曲させる。すなわち、押板部１の差込脚部２を突出させた片面（図１１における押板部１の右側の面）から、突起部５を突出させた側面（図１１における押板部１の上側の面）まで押板部１を囲うように屈曲させる。
そして、屈曲させたマルチシート２００の、突起部５を突出させた側面との当接部分に突起部５を挿通させて完了する。
【００３８】
マルチシート２００が上方に引っ張られると、その力がマルチシート固定具２０の突起部５に伝わり、突起部５を図１１のＺ方向に回転させようとする力が働く。
そうすると上記と同様に、マルチシート固定具２０に対して、畝１００の盛土部１０１に向けてより深く差し込ませるとともに、差込脚部２の先端側を上方に持ち上げるように力を加えることができる。従って、マルチシート２００からの力に対して、さらに抵抗力を増加させることができるのである。
【００３９】
次に、図１２及び図１３を参照して、本発明の実施形態３に係るマルチシート固定具３０について説明する。
最初に、実施形態３に係るマルチシート固定具３０の構成について、図１２を参照して説明する。
【００４０】
実施形態３に係るマルチシート固定具３０は、実施形態２に係るマルチシート固定具２０とほぼ同様の構成であるが、押板部１の長辺側の一方の側面に突起部５を設けたのに加え、他方の側面にも突起部６を設けた点が異なる。
図１２に示すように、マルチシート固定具３０の押板部１の長辺側の一方の側面からは、直角方向に突起部５が突出し、さらに他方の側面からも直角方向に突起部６が突出している。突起部５及び突起部６の突出方向は、互いに反対方向であるとともに、両方とも差込脚部２の突出方向に対して直角となっている。
【００４１】
次に、図１３を参照して、マルチシート固定具３０を用いたマルチシート固定方法について説明する。
図１３は、マルチシート固定具３０の使用状態を示す断面図である。
畝１００にマルチシート２００を被せて、マルチシート２００の上からマルチシート固定具２０を差し込むまでは、実施形態１及び実施形態２と同様である。なお、図１３では、突起部５を下側に向けているが、反対に突起部６を下側に向けてもよい。
そして、マルチシート固定具３０を差し込んだ後に、遊動状態にある平地部１０２側のマルチシート（マルチシート２００の側端部であって、マルチシート固定具３０の差し込み後も盛土部１０１に固定されていない部分）を屈曲させる。このときのマルチシート２００の屈曲方向は、押板部１に沿ったものであり、具体的には、押板部１の差込脚部２を突出させた片面（図１３における押板部１の右側の面）から、突起部５を突出させた側面（図１３における押板部１の下側の面）に沿って屈曲させる。そして、屈曲させたマルチシート２００の、突起部５を突出させた側面との当接部分に突起部５を挿通させる。
さらに、残りのマルチシート２００を、突起部６を突出させた側面（図１３における押板部１の上側の面）まで押板部１を囲うように屈曲させる。そして、屈曲させたマルチシート２００の、突起部６を突出させた側面との当接部分に突起部６を挿通させて完了する。
【００４２】
上記のようにマルチシート固定具３０を使用してマルチシート２００を固定することにより、実施形態２と同様にマルチシート２００からの上方への引っ張り力に対して、２本の差込脚部２，２で抵抗力を大きくするとともに、突起部５及び突起部６の両方に力をかけてマルチシート固定具２０を地中により深く差し込ませるとともに、差込脚部２の先端側を上方に持ち上げることができるので、マルチシート２００を安定的に固定することができる。
【００４３】
なお、上記実施形態１乃至実施形態３においては、いずれも差込脚部２を２本設けた構成について説明したが、これに限らず、差込脚部２を３本以上設ける構成としてもよい。
また、差込脚部２を根元から先端まで表面が平滑であるように形成して、マルチシート２００への引っ掛かりを減少させるようにしたが、差込脚部２に従来例のような抜止部を形成したものであっても、マルチシート２００を安定的に固定する上では差し支えない。
【図面の簡単な説明】
【００４４】
【図１】実施形態１に係るマルチシート固定具を示す正面図である。
【図２】実施形態１に係るマルチシート固定具を示す平面図である。
【図３】図１のＡ−Ａ断面図である。
【図４】他の実施形態に係る差込脚部の断面図である。
【図５】他の実施形態に係る差込脚部の断面図である。
【図６】実施形態１に係るマルチシート固定具の使用状態を示す断面図である。
【図７】図６のＢ−Ｂ断面図である。
【図８】実施形態２に係るマルチシート固定具を示す正面図である。
【図９】実施形態２に係るマルチシート固定具を示す平面図である。
【図１０】実施形態２に係るマルチシート固定具の使用状態を示す断面図である。
【図１１】実施形態２に係るマルチシート固定具の使用状態を示す断面図である。
【図１２】実施形態３に係るマルチシート固定具を示す平面図である。
【図１３】実施形態３に係るマルチシート固定具の使用状態を示す断面図である。
【図１４】従来例に係るマルチシート固定具を示す正面図である。
【図１５】従来例に係るマルチシート固定具を示す平面図である。
【図１６】畝にマルチシートを被せ固定した状態を示す斜視図である。
【図１７】図１６のＣ−Ｃ断面図である。
【図１８】マルチシートが剥がれた状態を示す断面図である。
【符号の説明】
【００４５】
１      押板部
２      差込脚部
３      差込脚部
４      差込脚部
５      突起部
６      突起部
１０      マルチシート固定具
２０      マルチシート固定具
３０      マルチシート固定具
５０      マルチシート固定具
５１      押板部
５２      差込脚部
５３      抜止部
１００      畝
１０１      盛土部
１０２      平地部
２００      マルチシート
【図１】
2007143514.tif 000003
【図２】
2007143514.tif 000004
【図３】
2007143514.tif 000005
【図４】
2007143514.tif 000006
【図５】
2007143514.tif 000007
【図６】
2007143514.tif 000008
【図７】
2007143514.tif 000009
【図８】
2007143514.tif 000010
【図９】
2007143514.tif 000011
【図１０】
2007143514.tif 000012
【図１１】
2007143514.tif 000013
【図１２】
2007143514.tif 000014
【図１３】
2007143514.tif 000015
【図１４】
2007143514.tif 000016
【図１５】
2007143514.tif 000017
【図１６】
2007143514.tif 000018
【図１７】
2007143514.tif 000019
【図１８】
2007143514.tif 000020